(57)【要約】メインコンテンツを含むメイン画面を表示し、メインコンテンツとは異なる種類のサブコンテンツを含むサブ画面を、メイン画面と同時期に表示し、メイン画面に対する操作を受け付けるモードからサブ画面に対する操作を受け付けるモードへの切り替え操作を受け付け、サブ画面に対する操作を受け付けるモードへの切り替えが行われた際に、サブ画面を強調表示する情報処理装置である。
2020129908.tif 000002
【特許請求の範囲】
【請求項１】
メインコンテンツを含むメイン画面を表示するメイン画面表示制御部と、
前記メインコンテンツとは異なる種類のサブコンテンツを含むサブ画面を、前記メイン画面と同時期に表示するサブ画面表示制御部と、
前記メイン画面に対する操作を受け付けるモードから前記サブ画面に対する操作を受け付けるモードへの切り替え操作を受け付ける操作受付部と、
を含み、
前記サブ画面表示制御部は、前記サブ画面に対する操作を受け付けるモードへの切り替えが行われた際に、前記サブ画面を強調表示する
ことを特徴とする情報処理装置。
【請求項２】
請求項１に記載の情報処理装置において、
前記サブ画面表示制御部は、前記サブ画面の外周を取り囲む所定の背景色を有する領域を表示することによって、前記サブ画面を強調表示する
ことを特徴とする情報処理装置。
【請求項３】
請求項２に記載の情報処理装置において、
前記サブ画面表示制御部は、前記所定の背景色を有する領域内に、前記サブ画面に対する操作内容を案内する案内情報を表示する
ことを特徴とする情報処理装置。
【請求項４】
請求項１から３のいずれか一項に記載の情報処理装置において、
前記サブ画面表示制御部は、前記サブ画面の背景色を所定の色に変化させることによって、前記サブ画面を強調表示する
ことを特徴とする情報処理装置。
【請求項５】
請求項１から４のいずれか一項に記載の情報処理装置において、
前記サブ画面表示制御部は、前記サブ画面の配置位置を、前記メイン画面に対する操作を受け付けるモードにおける配置位置から前記メイン画面の中央寄りの位置に移動させることによって、前記サブ画面を強調表示する
ことを特徴とする情報処理装置。
【請求項６】
請求項１から５のいずれか一項に記載の情報処理装置において、
前記サブ画面表示制御部は、前記メイン画面に対する操作を受け付けるモードにおいて、前記切り替え操作を案内する案内画像を前記サブ画面に関連づけて表示する
ことを特徴とする情報処理装置。
【請求項７】
請求項６に記載の情報処理装置において、
前記サブ画面表示制御部は、前記サブ画面と前記メイン画面との間の境界線上に前記案内画像を表示する
ことを特徴とする情報処理装置。
【請求項８】
請求項７に記載の情報処理装置において、
前記サブ画面表示制御部は、前記サブ画面を前記メイン画面の内部に表示し、かつ、前記案内画像を前記サブ画面の外周のうち前記メイン画面の外周に近い側の位置に表示する
ことを特徴とする情報処理装置。
【請求項９】
メインコンテンツを含むメイン画面を表示するステップと、
前記メインコンテンツとは異なる種類のサブコンテンツを含むサブ画面を、前記メイン画面と同時期に表示するステップと、
前記メイン画面に対する操作を受け付けるモードから前記サブ画面に対する操作を受け付けるモードへの切り替え操作を受け付けるステップと、
前記サブ画面に対する操作を受け付けるモードへの切り替えが行われた際に、前記サブ画面を強調表示するステップと、
を含むことを特徴とする情報処理方法。
【請求項１０】
メインコンテンツを含むメイン画面を表示するステップと、
前記メインコンテンツとは異なる種類のサブコンテンツを含むサブ画面を、前記メイン画面と同時期に表示するステップと、
前記メイン画面に対する操作を受け付けるモードから前記サブ画面に対する操作を受け付けるモードへの切り替え操作を受け付けるステップと、
前記サブ画面に対する操作を受け付けるモードへの切り替えが行われた際に、前記サブ画面を強調表示するステップと、
をコンピュータに実行させるためのプログラム。
【発明の詳細な説明】
【技術分野】
【０００１】
本発明は、ユーザーからの操作入力を受け付ける情報処理装置、情報処理方法、及びプログラムに関する。
【背景技術】
【０００２】
例えばピクチャーインピクチャーと呼ばれる技術のように、同じ表示装置の表示領域内に、メインのコンテンツとともに別の種類のサブコンテンツが表示されることがある。
【発明の概要】
【発明が解決しようとする課題】
【０００３】
このように複数種類のコンテンツが同時期に表示される場合、ユーザーは、操作対象となるコンテンツを切り替えながら、各コンテンツに対する操作入力を行うことになる。このような場合において、現在操作対象となっているのがどちらのコンテンツなのか、ユーザーにとって分かりにくくなってしまうことがある。【０００４】
本発明は上記実情を考慮してなされたものであって、その目的の一つは、複数種類のコンテンツを切り替えて操作対象とする場合に、操作対象となるコンテンツを分かり易くすることのできる情報処理装置、情報処理方法、及びプログラムを提供することにある。
【課題を解決するための手段】
【０００５】
本発明の一態様に係る情報処理装置は、メインコンテンツを含むメイン画面を表示するメイン画面表示制御部と、前記メインコンテンツとは異なる種類のサブコンテンツを含むサブ画面を、前記メイン画面と同時期に表示するサブ画面表示制御部と、前記メイン画面に対する操作を受け付けるモードから前記サブ画面に対する操作を受け付けるモードへの切り替え操作を受け付ける操作受付部と、を含み、前記サブ画面表示制御部は、前記サブ画面に対する操作を受け付けるモードへの切り替えが行われた際に、前記サブ画面を強調表示することを特徴とする。【０００６】
本発明の一態様に係る情報処理方法は、メインコンテンツを含むメイン画面を表示するステップと、前記メインコンテンツとは異なる種類のサブコンテンツを含むサブ画面を、前記メイン画面と同時期に表示するステップと、前記メイン画面に対する操作を受け付けるモードから前記サブ画面に対する操作を受け付けるモードへの切り替え操作を受け付けるステップと、前記サブ画面に対する操作を受け付けるモードへの切り替えが行われた際に、前記サブ画面を強調表示するステップと、を含むことを特徴とする。【０００７】
本発明の一態様に係るプログラムは、メインコンテンツを含むメイン画面を表示するステップと、前記メインコンテンツとは異なる種類のサブコンテンツを含むサブ画面を、前記メイン画面と同時期に表示するステップと、前記メイン画面に対する操作を受け付けるモードから前記サブ画面に対する操作を受け付けるモードへの切り替え操作を受け付けるステップと、前記サブ画面に対する操作を受け付けるモードへの切り替えが行われた際に、前記サブ画面を強調表示するステップと、をコンピュータに実行させるためのプログラムである。このプログラムは、コンピュータ読み取り可能で非一時的な情報記憶媒体に格納されて提供されてよい。
【図面の簡単な説明】
【０００８】
【図１】本発明の実施の形態に係る情報処理装置を含む情報処理システムの構成ブロック図である。
【図２】操作デバイスの外観の一例を示す図である。
【図３】情報処理装置の機能ブロック図である。
【図４】メイン画面モードにおける表示例を示す図である。
【図５】サブ画面モードにおける表示例を示す図である。
【図６】サブ画面を異なるレイアウトで配置した場合のサブ画面モードにおける表示例を示す図である。
【図７】サブ画面を異なるレイアウトで配置した場合のメイン画面モードにおける表示例を示す図である。
【発明を実施するための形態】
【０００９】
以下、本発明の実施の形態について、図面に基づき詳細に説明する。
【００１０】
図１は、本発明の一実施形態に係る情報処理装置１０を含む情報処理システム１の全体概要を示す構成ブロック図である。同図に示されるように、情報処理システム１は、情報処理装置１０と、操作デバイス２０と、表示装置３０と、を含んで構成されている。
【００１１】
情報処理装置１０は、例えば家庭用ゲーム機やパーソナルコンピューター等であってよい。図１に示されるように、情報処理装置１０は、制御部１１と、記憶部１２と、インタフェース部１３と、を含んで構成される。
【００１２】
制御部１１は、ＣＰＵ等のプロセッサを少なくとも一つ含み、記憶部１２に記憶されているプログラムを実行して各種の情報処理を実行する。なお、本実施形態において制御部１１が実行する処理の具体例については、後述する。記憶部１２は、ＲＡＭ等のメモリデバイスを少なくとも一つ含み、制御部１１が実行するプログラム、及び当該プログラムによって処理されるデータを格納する。
【００１３】
インタフェース部１３は、操作デバイス２０、及び表示装置３０との間のデータ通信のためのインタフェースである。情報処理装置１０は、インタフェース部１３を介して有線又は無線のいずれかで操作デバイス２０、及び表示装置３０のそれぞれと接続される。具体的にインタフェース部１３は、情報処理装置１０が供給する映像データを表示装置３０に送信するために、ＨＤＭＩ（登録商標）（High-Definition Multimedia Interface）等のマルチメディアインタフェースを含むこととする。また、操作デバイス２０が受け付けたユーザーの操作内容を示す操作信号を受信するために、ＵＳＢ（Universal Serial Bus）等のデータ通信インタフェースを含んでいる。
【００１４】
操作デバイス２０は、ユーザーの操作入力を受け付けるためのデバイスである。図２は、操作デバイス２０の外観の一例を示している。本実施形態において操作デバイス２０は、ユーザーが両手で把持して使用することが想定されており、操作デバイス２０本体の左右に把持部２１Ｒ及び２１Ｌが形成されている。ユーザーは、右手の指で把持部２１Ｒを、左手の指で把持部２１Ｌを、それぞれ把持した状態で操作デバイス２０を使用する。
【００１５】
操作デバイス２０の上面には、ユーザーが親指で操作を行うための各種の操作部材が配置されている。具体的に、ユーザーから見て操作デバイス２０上面の奥側に、タッチパッド２２が配置されている。なお、本実施形態では、ユーザーは自身の親指でタッチパッド２２に対する操作を行うことが想定されている。操作デバイス２０上面の手前側には、特定の機能を呼び出すための機能ボタン２３が配置されている。これらのタッチパッド２２及び機能ボタン２３は、ユーザーが操作デバイス２０を両手で把持した状態において、左右どちらの親指でも操作可能になっている。また、タッチパッド２２の右側には、ユーザーが右手の親指で押し込み操作を行うための複数の操作ボタン２４Ｒ、及び傾倒操作を行うためのアナログスティック２５Ｒが配置されている。同様に、タッチパッド２２の左側には、ユーザーが左手の親指で押し込み操作を行うための複数の操作ボタン２４Ｌ、及び傾倒操作を行うためのアナログスティック２５Ｌが配置されている。なお、以上説明したものに限らず、操作デバイス２０には、ユーザーが操作可能な各種の操作部材が配置されてよい。
【００１６】
表示装置３０は、情報処理装置１０から送信される映像信号に応じた映像を表示して、ユーザーに閲覧させる。表示装置３０は、家庭用テレビ受像機などであってよい。また、ユーザーが頭部に装着して使用するヘッドマウントディスプレイなどであってもよい。
【００１７】
次に、情報処理装置１０が実現する機能について図３を用いて説明する。図３に示すように、情報処理装置１０は、機能的に、メイン画面表示制御部５１と、サブ画面表示制御部５２と、操作受付部５３と、を含んでいる。これらの機能は、制御部１１が記憶部１２に記憶されたプログラムを実行することにより実現される。このプログラムは、インターネット等の通信ネットワークを介して情報処理装置１０に提供されてもよいし、光ディスク等のコンピュータ読み取り可能な情報記憶媒体に格納されて提供されてもよい。
【００１８】
メイン画面表示制御部５１は、制御部１１がアプリケーションプログラムを実行することで実現される。以下では、メイン画面表示制御部５１が実行するアプリケーションプログラムを、メインプラグラムという。このメインプログラムは各種の処理を実現するアプリケーションプログラムであってよいが、以下では具体例として、ゲームプログラムであるものとする。メイン画面表示制御部５１は、ユーザーによる操作デバイス２０に対する操作入力の内容に応じて、各種の情報処理を実行し、その結果を表示装置３０の表示領域内に表示させる。以下では、メイン画面表示制御部５１によって表示装置３０に表示される内容をメインコンテンツという。そして、表示装置３０の表示領域内においてメインコンテンツが表示される領域を、メイン画面Ｍと表記する。本実施形態では、通常時にはメイン画面Ｍは表示装置３０の表示領域全体を占めるように（すなわち、フルスクリーンで）表示されるものとする。
【００１９】
サブ画面表示制御部５２は、メインコンテンツとは別の種類のサブコンテンツを描画し、表示装置３０の表示領域内に表示させる。サブ画面表示制御部５２は、メイン画面表示制御部５１が実行するメインプログラムとは別のサブプログラムによって実現されてもよいし、メイン画面表示制御部５１と同様にメインプログラムによって実現されてもよい。以下では、サブ画面表示制御部５２が描画したサブコンテンツが表示される領域を、サブ画面Ｓという。
【００２０】
サブ画面Ｓは、メイン画面Ｍとともに表示装置３０の表示領域内に表示される。本実施形態においてサブ画面Ｓは、表示装置３０の表示領域のうち限られた一部の領域を占め、メイン画面表示制御部５１が表示するメイン画面Ｍの一部と重なるように表示されるものとする。また、ここでは具体例として、サブコンテンツは第三者が配信中のゲームの様子を示す配信映像であるものとする。このようなサブコンテンツを含むサブ画面Ｓがメイン画面Ｍと重ねて表示されることによって、ユーザーはサブコンテンツを視聴しながらメイン画面Ｍに表示されているゲームをプレイすることができる。図４は、サブ画面Ｓがメイン画面Ｍと重なるように配置された表示例を示している。この図の例では、メイン画面Ｍの右下隅近傍にサブ画面Ｓが配置されている。
【００２１】
操作受付部５３は、ユーザーによる操作デバイス２０に対する操作入力を受け付けて、その内容をメイン画面表示制御部５１、又はサブ画面表示制御部５２に対して出力する。本実施形態において、情報処理装置１０は、少なくともメイン画面モード、及びサブ画面モードの２種類の動作モードのいずれかで動作するものとし、操作受付部５３は、現在の動作モードに応じてユーザーの操作内容の出力先を変化させる。
【００２２】
メイン画面モードは、メイン画面Ｍに対する操作を受け付けるモードである。メイン画面モードにおいて操作受付部５３は、予め定められた例外的な操作を除いて、操作デバイス２０が備える各操作部材に対するユーザーの操作入力をメイン画面Ｍに対する操作（以下ではゲーム操作という）であるとみなし、その操作内容をメイン画面表示制御部５１に対して出力する。これにより、メイン画面モードにおいてユーザーは、操作デバイス２０に設けられた操作部材を用いてゲームをプレイすることができる。なお、前述したように、メイン画面モードにおいてもサブ画面Ｓ自体はメイン画面Ｍとともに表示装置３０の表示領域に表示されてよい。
【００２３】
これに対してサブ画面モードは、サブ画面Ｓに対するユーザーの操作を受付可能な動作モードである。サブ画面モードにおいて操作受付部５３は、予め定められた例外的な操作を除いて、操作デバイス２０が備える各操作部材に対する操作入力をサブ画面Ｓに対する操作であるとみなし、その操作内容をサブ画面表示制御部５２に対して出力する。なお、どちらのモードにおいても、メイン画面表示制御部５１及びサブ画面表示制御部５２は、それぞれの画面の更新を継続してよい。これによりユーザーは、サブ画面Ｓに表示される映像を閲覧しながらメイン画面Ｍに表示されるゲームをプレイしたり、メイン画面Ｍで進行中のゲームの状況を確認しながらサブ画面Ｓの表示内容を更新したりすることができる。
【００２４】
上述した各モードにおける例外的な操作には、モード切り替え操作が含まれる。モード切り替え操作はメイン画面モードとサブ画面モードとの間の切り替えを指示する操作であって、本実施形態では機能ボタン２３を押下する操作であるものとする。すなわち、操作受付部５３は、メイン画面モードにおいてユーザーが機能ボタン２３を押下した場合には、サブ画面モードへの切り替えを行い、それ以降、機能ボタン２３以外の各操作部材に対するユーザーの操作入力の内容を、サブ画面表示制御部５２に対して出力する。また、サブ画面モードにおいてユーザーが機能ボタン２３を押下した場合には、メイン画面モードへの切り替えを行い、それ以降、機能ボタン２３以外の各操作部材に対するユーザーの操作入力の内容を、メイン画面表示制御部５１に対して出力する。
【００２５】
モード切り替え操作の内容をユーザーに案内するために、サブ画面表示制御部５２は、このモード切り替え操作が割り当てられた操作部材を表す画像（以下、切り替え操作案内画像Ｇ１という）を、サブ画面Ｓに関連づけて表示してもよい。図４の例では、メイン画面モードにおいて、サブ画面Ｓの外周（すなわち、サブ画面Ｓとメイン画面Ｍとの境界線）上に、サブ画面Ｓと一部重なるように、切り替え操作案内画像Ｇ１が表示されている。切り替え操作案内画像Ｇ１は、モード切り替え操作が割り当てられた操作部材を模した画像であってよい。本実施形態では、モード切り替え操作が割り当てられている操作デバイス２０の機能ボタン２３には星形のマークが刻印されていることとし、切り替え操作案内画像Ｇ１はこの刻印されているマークを表す画像になっている。
【００２６】
また、切り替え操作案内画像Ｇ１は、サブ画面Ｓの外周のうち、メイン画面Ｍの外周に近い側の位置に配置されてよい。図４の例では、サブ画面Ｓはメイン画面Ｍの右下隅近傍に配置されており、さらに切り替え操作案内画像Ｇ１はサブ画面Ｓの右下隅に配置されている。逆にサブ画面Ｓがメイン画面Ｍの左上隅近傍に配置されている場合、切り替え操作案内画像Ｇ１もサブ画面Ｓの左上隅に配置されてよい。こうすれば、切り替え操作案内画像Ｇ１がメイン画面Ｍの中心から離れた位置に配置されることになり、メイン画面Ｍの表示を妨げにくくなる。
【００２７】
次に、サブ画面モードにおける表示、及びユーザーによる操作の具体例について、説明する。サブ画面モードにおいては、メイン画面モードと異なり、ユーザーはサブ画面Ｓの配置位置や表示内容などを変化させる操作を行うことができる。
【００２８】
メイン画面モードからサブ画面モードへの切り替えが行われると、まずサブ画面表示制御部５２は、サブ画面Ｓにユーザーの注意を向けさせるためにサブ画面Ｓを強調表示する制御を行う。図５は、図４に示すメイン画面モードの状態から、ユーザーがモード切り替え操作を行ってサブ画面モードに遷移した後の表示例を示している。具体的にサブ画面表示制御部５２は、サブコンテンツが表示されているサブ画面Ｓの周囲に、操作案内領域Ｇ２を表示する。操作案内領域Ｇ２は、サブ画面Ｓを取り囲む領域であって、現在サブ画面Ｓに対する操作が可能であることをユーザーに案内するための領域である。さらにサブ画面表示制御部５２は、サブ画面Ｓに対して可能な操作内容をユーザーに案内するための案内情報を操作案内領域Ｇ２内に表示することとする。操作案内領域Ｇ２は、ユーザーの注意を惹くために、彩度の高い背景色を有することが望ましい。このような強調表示を行うことにより、サブ画面表示制御部５２は、サブ画面モードに遷移したことをユーザーに明確に示すことができる。
【００２９】
また、サブ画面表示制御部５２は、サブ画面モードへの切り替えが行われた際には、操作案内領域Ｇ２の表示に伴って、メイン画面Ｍ内におけるサブ画面Ｓ自体の配置位置を移動させてもよい。図５の例では、サブ画面Ｓの配置位置が図４と比較して上方に遷移し、この遷移によって生じた余白部分にユーザーに操作を案内するための情報が表示されている。ここでは、サブ画面Ｓはメイン画面Ｍの外周のうち下端に最も近い位置に配置されており、サブ画面モードへの切り替え時には、サブ画面Ｓの配置位置がこのメイン画面Ｍ下端から離れる方向に移動することとしている。逆にサブ画面Ｓがメイン画面Ｍ内の上端近傍に配置されていた場合、サブ画面モードへの切り替え時にはサブ画面Ｓを下方（メイン画面Ｍの上端から離れる方向）に移動させてもよい。このようにサブ画面モードへの遷移時にサブ画面Ｓをメイン画面Ｍの外周から離れる方向（すなわち、中央に近づく方向）に移動させることで、ユーザーをサブ画面Ｓに注目させることができる。
【００３０】
さらにサブ画面表示制御部５２は、サブ画面モードへの切り替えが行われた際には、サブ画面Ｓ、及び操作案内領域Ｇ２を除くメイン画面Ｍの表示内容を目立たないようにする表示制御を行ってもよい。具体的に、例えばサブ画面表示制御部５２は、メイン画面Ｍに表示されている映像に対して、モノクロ化したり、ブラー処理を施したり、透明度を上げたり、といった画像処理を行う。これにより、よりユーザーをサブ画面Ｓに注目させることができる。
【００３１】
サブ画面モードにおいて、ユーザーは、サブ画面Ｓの配置位置を変更する指示操作を行うことができる。このような指示操作を受付可能であることをユーザーに案内するための案内情報として、操作案内領域Ｇ２内には配置位置の変化方向を示す矢印の画像が表示される。ユーザーがこの矢印に沿った方向を指示する操作を行うと、サブ画面表示制御部５２は、サブ画面Ｓの配置位置を指示された方向に移動させる。例えば図５においては、サブ画面Ｓはメイン画面Ｍ内の右下隅近傍に配置されており、操作案内領域Ｇ２内には、上方向、及び左方向を向いた矢印が表示されている。ユーザーが上方向に割り当てられた操作ボタンを押下したり、あるいはアナログスティックに対して上方向を指示する操作を行ったりした場合、サブ画面表示制御部５２は、サブ画面Ｓをメイン画面Ｍ内の右上隅近傍に移動させる。また、左方向の指示が受け付けられた場合にはサブ画面Ｓをメイン画面Ｍ内の左下隅近傍に移動させる。このような制御によれば、ユーザーは、メイン画面Ｍの表示内容を閲覧する際に邪魔になりにくい位置にサブ画面Ｓを移動させることができる。
【００３２】
サブ画面表示制御部５２は、ユーザーの指示操作に応じてサブ画面Ｓの表示を終了してもよい。図５の例では、サブ画面Ｓの表示を終了（クローズ）する指示に割り当てられた操作ボタンを表すマーク画像（ここでは三角形のマーク）が、案内情報として操作案内領域Ｇ２内に示されている。このマーク画像に対応する操作デバイス２０の操作ボタンをユーザーが操作すると、サブ画面表示制御部５２はサブ画面Ｓの表示を終了し、メイン画面モードへの切り替えが行われる。
【００３３】
また、サブ画面表示制御部５２は、サブ画面Ｓの配置位置に限らず、ユーザーの指示操作に応じてサブ画面Ｓの大きさや形状、全体的なメイン画面Ｍに対する位置関係などを変化させてもよい。図５の例では、このような表示レイアウトの変更指示に割り当てられた操作ボタンを表すマーク画像（ここでは四角形のマーク）が、操作案内領域Ｇ２内に案内情報として示されている。このマーク画像に対応する操作デバイス２０の操作ボタンをユーザーが操作すると、サブ画面表示制御部５２はサブ画面Ｓの表示レイアウトを変更する。
【００３４】
図６は、このような表示レイアウトの変更指示に応じて、メイン画面Ｍの左辺に沿って上下方向に帯状に延伸する形状のサブ画面Ｓが表示された様子を示している。この図の例では、帯状のサブ画面Ｓが配置されるとともにメイン画面Ｍが縮小されており、両者は互いに重ならないように左右に並んで配置されている。
【００３５】
このような比較的大きいサイズのサブ画面Ｓには、小さいサイズのサブ画面Ｓに表示されるサブコンテンツに加えて、これに関連する各種の情報が含まれてよい。図６の例では、それまで小さいサイズのサブ画面Ｓに表示されていた配信映像に加えて、この配信映像に対して他の視聴者が投稿したコメントが表示されている。また、新規コメントの投稿欄も表示されている。ユーザーは、サブ画面モードにおいて例えば下方向を指示する操作を行うことによって、新規コメントの投稿欄を選択し、さらにメッセージを入力することによって、現在サブ画面Ｓ内で表示中の配信映像に対して自身もコメントを投稿することができる。
【００３６】
また、サブ画面Ｓ内には、ユーザーが選択可能な各種のメニュー項目が含まれてもよい。例えば、ユーザーにより選択再生中の楽曲や再生可能な楽曲のリストがサブコンテンツとして表示されている場合、サブ画面表示制御部５２は、リストの中から任意の楽曲を選択して再生を開始させたり、再生中の楽曲を一時停止させたりする操作をユーザーから受け付けてもよい。
【００３７】
さらにこの図６の例では、サブ画面Ｓの上辺近傍に、レイアウト変更指示やサブ画面Ｓの表示終了指示をユーザーから受け付けるためのメニュー項目が配置されている。ここではこれらのメニュー項目は、左右方向に沿って並んで配置されており、ユーザーは左右の方向を指示する操作によってこれらのメニュー項目を選択できる。この例では、向かって左側のメニュー項目が、サブ画面Ｓを縮小して図５に示したような元のサイズに戻すレイアウト変更指示に割り当てられている。また、右側のメニュー項目が、サブ画面Ｓの表示を終了する指示に割り当てられている。
【００３８】
また、この図６の例のように余白を含む比較的大きなサイズのサブ画面Ｓを表示している状態では、サブ画面Ｓが表示装置３０の表示領域の外縁に接しているために、サブ画面モードに遷移した際に、その周りを囲むような操作案内領域Ｇ２を表示させにくい。そのためサブ画面表示制御部５２は、サブ画面モードに遷移した際には、そのことをユーザーに示すために、操作案内領域Ｇ２を表示する代わりに、サブ画面Ｓ全体の背景色を変化させてもよい。このとき、サブ画面Ｓの背景色は、操作案内領域Ｇ２の背景色と同じ色にすることが好ましい。こうすれば、サブ画面Ｓに対する操作が可能な状態をレイアウト変更前後で一貫した態様でユーザーに案内することができる。
【００３９】
この図６の例においても、メイン画面Ｍとサブ画面Ｓの境界線上に切り替え操作案内画像Ｇ１が表示されている。さらにこの例では、切り替え操作案内画像Ｇ１には、変更先を示す矢印の画像が隣接して配置されている。図６はサブ画面モードの様子を示しており、この状態で機能ボタン２３が操作されるとメイン画面モードへの切り替えが行われる。そのため、切り替え操作案内画像Ｇ１の右側に、右向きの矢印（すなわち、メイン画面Ｍを指し示す矢印）の画像が表示されている。この矢印の画像によって、ユーザーは切り替え操作案内画像Ｇ１が表す機能ボタン２３を操作することで操作対象がメイン画面Ｍに切り替わることを直感的に理解できる。なお、矢印の画像はメイン画面Ｍ内に表示されているので、その時点で操作対象となっているサブ画面Ｓの表示内容を邪魔しないようになっている。
【００４０】
この状態でモード切り替え操作が行われると、メイン画面モードへの切り替えが行われる。図７はこの状態の表示例を示しており、図６とは逆に切り替え操作案内画像Ｇ１の左側に、左向きの矢印（すなわち、サブ画面Ｓを指し示す矢印）の画像が表示されている。図６の場合と同様、この矢印の画像によってユーザーは機能ボタン２３を操作した際に操作対象がメイン画面Ｍからサブ画面Ｓに切り替えられることを容易に把握できる。
【００４１】
以上説明したように、本発明の実施の形態に係る情報処理装置１０によれば、メイン画面Ｍに対する操作を受け付けるモードと、サブ画面Ｓに対する操作を受け付けるモードとを切り替える場合に、ユーザーがどちらの画面を操作対象としているか分かり易くすることができ、操作性を向上できる。
【００４２】
なお、本発明の実施の形態は以上説明したものに限られない。例えば以上の説明におけるサブ画面Ｓの表示内容やサブ画面Ｓに対する操作の内容は、いずれも例示に過ぎない。また、サブ画面Ｓの形状や大きさ、メイン画面Ｍとの間の位置関係なども例示に過ぎず、サブ画面Ｓは各種のレイアウトで表示されてよい。
【符号の説明】
【００４３】
１  情報処理システム、１０  情報処理装置、１１  制御部、１２  記憶部、１３  インタフェース部、２０  操作デバイス、２１Ｒ，２１Ｌ  把持部、２２  タッチパッド、２３  機能ボタン、２４Ｒ，２４Ｌ  操作ボタン、２５Ｒ，２５Ｌ  アナログスティック、３０  表示装置、５１  メイン画面表示制御部、５２  サブ画面表示制御部、５３  操作受付部。
【図１】
2020129908.tif 000003
【図２】
2020129908.tif 000004
【図３】
2020129908.tif 000005
【図４】
2020129908.tif 000006
【図５】
2020129908.tif 000007
【図６】
2020129908.tif 000008
【図７】
2020129908.tif 000009
【国際調査報告】
2020129908.tif 000010
2020129908.tif 000011
2020129908.tif 000012
2020129908.tif 000013